(57)【要約】【課題】  アンテナの受信感度を高め得る電波時計を提供すること【解決手段】  電波時計１は、アンテナコア２５及びアンテナコイル２６を備えた高周波受信アンテナ２４を時計ケース１０内に有し、アンテナコア２５が、時計本体の延在面に沿って延びたコア本体部２７と、該コア本体部２７の少なくとも一方の端部につながりコア本体部２７の延在方向に対して交差する方向で且つ時計の厚さ方向に延びた先端部３７，３８を備えるコア端部２９とを有する。コア端部２９の先端部３７が、非磁性非導電性材料からなる裏蓋２０に向かって裏蓋近傍まで延びた先端部分を有し、該先端部分の端面４２が裏蓋２０に対面している。また、コア端部２９の先端部３８が、非磁性非導電性材料からなる時計ガラス１２に向かってダイヤルリング１７近傍まで延びた先端部分を有し、該先端部分の端面４４がダイヤルリング１７に対面している。【選択図】  図２
2007285811.tif 000002
【特許請求の範囲】
【請求項１】
アンテナコア及びアンテナコイルを備えた高周波受信アンテナを時計ケース内に有する電波時計であって、前記アンテナコアが、時計本体の延在面に沿って延びたコア本体部と、該コア本体部の少なくとも一方の端部につながり前記コア本体部の延在方向に対して交差する方向で且つ時計の厚さ方向に延びた先端部を備えるコア端部とを有する電波時計。
【請求項２】
前記アンテナコアが、前記コア本体部の両方の端部につながり前記コア本体部の延在方向に対して交差する方向で且つ時計の厚さ方向に延びた先端部を有する請求項１に記載の電波時計。
【請求項３】
前記コア端部の前記先端部が、非磁性非導電性材料からなる裏蓋に向かって該裏蓋の近傍まで延びた先端部分を有し、該先端部分の端面が裏蓋に対面している請求項1又は２に記載の電波時計。
【請求項４】
前記裏蓋がガラスからなる請求項３に記載の電波時計。
【請求項５】
前記コア端部の前記先端部が、非磁性非導電性材料からなる時計ガラスに向かってダイヤルリング近傍まで延びた先端部分を有し、該先端部分の端面がダイヤルリングに対面している請求項1から４までのいずれか一つの項に記載の電波時計。
【請求項６】
前記ダイヤルリングの背面側に位置する文字板が開口を有し、該文字板の該開口に前記コア端部の前記先端部の前記先端部分が遊嵌されている請求項５に記載の電波時計。
【請求項７】
前記アンテナコアがケースの内表面の湾曲に沿って円弧状に湾曲している請求項１から６までのいずれか一つの項に記載の電波時計。
【請求項８】
前記アンテナコアが径方向に積層された複数の軟磁性薄板の積層体からなる請求項１から７までのいずれか一つの項に記載の電波時計。
【請求項９】
前記アンテナコアの前記先端部のうち円周方向に対して交差する端面が時計の径方向に対して角度θ（但し、θ＞０）だけ傾斜した状態でケースの内周面から間隔をおいて該内周面に対向している請求項１から８までのいずれか一つの項に記載の電波時計。
【請求項１０】
前記間隔が２ｍｍ以上である請求項９に記載の電波時計。
【発明の詳細な説明】
【技術分野】
【０００１】
本発明は、電波時計に係り、より詳しくは、腕時計のような小型の電波時計に係る。
【背景技術】
【０００２】
時刻情報を含む長波の形態の標準電波を受信して表示時刻を修正する電波時計（電波修正時計）は、周知である。
【０００３】
腕時計のような小型の電波時計において、受信感度を高めるべくアンテナをできるだけ大きくしたいという要請を極力満たしつつ、時計ケース（胴）が金属製である場合に該時計ケースによる影響を避けるという要請を満たすべく、該金属ケースに対してある程度間隔をおいてアンテナを円弧状に湾曲配置することは、提案されている（例えば、特許文献１）。
【０００４】
しかしながら、この提案の電波時計では、時計の厚さ方向を利用した受信感度の向上可能性については、考慮されていない。
【０００５】
一方、外観を考慮して金属製の文字板を使用する場合に、該文字板による受信感度の低下を抑えるべく、文字板に開口を設けると共に該開口に受信アンテナの円弧状のアンテナコアの先端部が対面するようにし、文字板の前記開口を樹脂などからなるダイヤルリングで隠すようにすることも、提案されている（特許文献２）。
【０００６】
しかしながら、この提案の電波時計においても、アンテナコアの先端部による標準電波の感知が金属製文字板により妨害されるのを十分には抑制できない虞れがある。
【特許文献１】特開２００５−６２１６１号公報
【特許文献２】特開２００５−１６４２７３号公報
【発明の開示】
【発明が解決しようとする課題】
【０００７】
本発明は、前記諸点に鑑みなされたものであり、その目的とするところは、アンテナの受信感度を高め得る電波時計を提供することにある。
【課題を解決するための手段】
【０００８】
本発明の電波時計は、前記目的を達成すべく、アンテナコア及びアンテナコイルを備えた高周波受信アンテナを時計ケース内に有する電波時計であって、アンテナコアが、時計本体の延在面に沿って延びたコア本体部と、該コア本体部の少なくとも一方の端部につながり前記コア本体部の延在方向に対して交差する方向で且つ時計の厚さ方向に延びた先端部を備えるコア端部とを有する。この場合、コア端部の先端部が、コア本体部よりも時計の厚さ方向に厚くなっているとみなしてもよい。
【０００９】
本発明の電波時計では、「アンテナコアが、時計本体の延在面に沿って延びたコア本体部と、該コア本体部の少なくとも一方の端部につながり前記コア本体部の延在方向に対して交差する方向で且つ時計の厚さ方向に延びた先端部を備えるコア端部とを有する」ので、コア端部の先端部が時計本体の厚さ方向の表面に近接して位置し得るから、標準電波の磁場成分の検出感度が高められ得る。
【００１０】
本発明の電波時計では、典型的には、アンテナコアが、コア本体部の両方の端部につながり前記コア本体部の延在方向に対して交差する方向で且つ時計の厚さ方向に延びた先端部を備えるコア端部を有する。
【００１１】
この場合、コア本体部の両方の端部につながり前記コア本体部の延在方向に対して交差する方向で且つ時計の厚さ方向に延びた先端部が時計本体の厚さ方向の表面に近接して位置し得るから、標準電波の磁場成分の検出感度が高められ得る。
【００１２】
本発明の電波時計では、典型的には、コア端部の先端部が、非磁性非導電性材料からなる裏蓋に向かって裏蓋の近傍まで延びた先端部分を有し、該先端部分の端面が裏蓋に対面している。ここで、裏蓋の全体が非磁性非導電性材料からなっていてもよいけれども、典型的には、その代わりに、例えば、裏蓋の本体部分が非磁性非導電性材料からなり、該裏蓋本体部分の外周に金属製のリング状部が一体的に取付けられることにより、裏蓋構造体が形成される。その場合、コア端部の先端部は端面で裏蓋の本体部分に対面する。
【００１３】
この場合、裏蓋が電波の伝播を実際上妨げないので、電波の受信に関しは、コア端部の先端部のうち裏蓋近傍に位置する先端部分が、裏蓋側において実際上突出し露出した状態にあるとみなし得るから、その受信感度が高められ得る。
【００１４】
本発明の電波時計では、典型的には、裏蓋がガラスからなる。この場合、例えば、裏蓋側から内部を視認し得る。
【００１５】
本発明の電波時計では、典型的には、コア端部の先端部が、非磁性非導電性材料からなる時計ガラスに向かってダイヤルリング近傍まで延びた先端部分を有し、該先端部分の端面がダイヤルリングに対面している。
【００１６】
この場合、ダイヤルリングが電波の伝播を実際上妨げないので、電波の受信に関しは、コア端部の先端部のうちダイヤルリング近傍に位置する先端部分が、裏蓋側において実際上突出し露出した状態にあるので、受信感度が高められ得る。
【００１７】
本発明の電波時計では、典型的には、ダイヤルリングの背面側に位置する文字板が孔を有し、該文字板の孔にコア端部の先端部の先端部分が遊嵌されている。この場合、文字板を金属製にし得るから、高級感のある外観を維持し得る。
【００１８】
本発明の電波時計では、典型的には、アンテナコアがケースの内表面の湾曲に沿って円弧状に（典型的には、断面が円形のケース内周面と同心の円弧状に）の湾曲している。この場合、アンテナコアを最大限長くし得るので受信感度が高められ得る。また、時計ケース（胴）が金属製であっても該ケースによる標準電波の受信の阻害を最低限に抑え得る。
【００１９】
本発明の電波時計では、典型的には、アンテナコアが径方向に積層された複数の軟磁性薄板の積層体からなる。この場合、アンテナコアを通る磁束が該コアの端部における時計厚さ方向への曲がりに応じて該コア内を通って時計の厚さ方向に曲がり易く、磁束の漏れを最低限が抑えられ、受信感度が高められ得る。軟磁性板は、典型的には、同一の形状及び大きさを有する。但し、所望ならば、外周側の方が多少長くても短くてもよい。
【００２０】
なお、この場合に積層される軟磁性薄板は、典型的には、コア本体部を構成する本体部分の長手方向の両端部にコア端部を構成すべくこれに対して交差する方向で且つ時計の厚さ方向に延びる先端部になるべき部分を備えるけれども、所望ならば、長手方向に交差する方向で且つ時計の厚さ方向に延びる先端部になるべき部分を該長手方向の一端側のみに備えていてもよい。その場合、例えば、積層されるべき多数枚の軟磁性薄板のうちの半数を長手方向に反転させて積層することにより、両端にコア本体部の延在方向に対して交差する向きに延びた先端部を備えたコア端部が両端に形成され得る。
【００２１】
本発明の電波時計では、典型的には、アンテナコアの先端部のうち円周方向に対して交差する端面が時計の径方向に対して角度θ（但し、θ＞０）だけ傾斜した状態でケースの内周面から間隔をおいて該内周面に対向している。
【００２２】
この場合、時計ケースが金属製であっても、該ケースによる標準電波の受信の阻害を最低限に抑え易い。
【００２３】
なお、本発明の電波時計では、典型的には、前記間隔が２ｍｍ以上である。この場合、電波の受信感度を高く維持し易い。
【発明を実施するための最良の形態】
【００２４】
本発明の好ましい一実施の形態を添付図面に示した好ましい一実施例に基づいて説明する。
【実施例】
【００２５】
図１及び図２には、本発明の好ましい一実施例の電波時計が示され、図３の（ａ）及び（ｂ）には、図１及び図２に示した電波時計のうち標準電波受信機構、時計輪列駆動用パルス発生機構及び電子的時刻修正機構が示されている。
【００２６】
図１及び図２に示した電波時計（電波修正時計）１は、外側に、ほぼ円環状の時計ケースないし胴１０と、該胴１０の前面側開口１１に嵌着された時計ガラス１２と、該胴１０の背面側開口１３に螺着された裏蓋構造体１４とを有する。以下では、時計１の厚さ方向をＺ方向とする。時計ガラス１２や裏蓋構造体１４はＺ方向に垂直な平面に沿って延びる。従って、時計本体もＺ方向に垂直な平面に沿って拡がる。
【００２７】
時計ガラス１２の内側には時刻表示指針（図示せず）の回転領域１５を隔てて金属製の文字板１６が配置され、文字板１６と時計ガラス１２との間には、樹脂製のダイヤルリング１７が配置されている。ダイヤルリング１７は、非導電性で且つ非磁性である。文字板１６のうちダイヤルリング１７の背後に隠れる領域には、開口１８，１８（一方は表示せず）が形成されている。
【００２８】
裏蓋構造体１４は、金属製の外周側リング状部１９と該リング状部１９に固着された裏蓋本体としての裏蓋ガラス２０とからなる。裏蓋ガラス２０は、非導電性で且つ非磁性である。
【００２９】
胴１０内で且つ文字板１６及び裏蓋構造体１４によって囲まれた室２１内には、時計１の主要部品が配置されている。
【００３０】
より詳しくは、室２１の中央部には時計輪列２２が配置され、該輪列２２の近傍には、該輪列２２を回転駆動する運針用モータ２３が配置されている。また、室２１内で胴１０と運針用モータ２３との間には、円弧状のアンテナユニット６０が配設されている。アンテナユニット６０は、アンテナ本体２４と、該アンテナ本体２４の収容ないしアンテナ枠６１とからなる。アンテナ枠６１は、アンテナ本体２４の収容凹部６２を備えたアンテナ枠本体６３と、アンテナ本体２４の大半の部分を蔽う蓋体６４とからなる。
【００３１】
アンテナ本体２４は、アンテナコア２５及びアンテナコイル２６を備えた高周波受信アンテナからなる。アンテナコア２５は、コア本体部２７と、コア端部２８，２９とを有する。アンテナコア２５は、軟磁性アモルファス金属（合金）の如き軟磁性体よりなる同一のサイズ及び形状の薄板片ないし箔片（以下では薄板片とする）を多数枚積層してなる。コア本体部２７は、胴１０の断面円形の円形内周面１０Ｓと同心状に該内周面１０Ｓに沿って円弧状に延びる。コア端部２８及び２９は、該本体部２７の各端部３１及び３２につながった基端部３３及び３４と、該基端部３３及び３４に対して時計１の厚さ方向Ｚに曲がった状態で延びた先端部３５，３６及び３７，３８を備える。ここで、先端部３５，３６及び３７，３８は、時計１の厚さ方向Ｚに延びるとみなす代わりに、該厚さ方向Ｚにみてコア本体部２７よりも厚いとみなしてもよい。
【００３２】
先端部３５，３７の端面４１，４２は裏蓋構造体１４の内面１４Ｓに対面する位置まで厚さ方向Ｚの裏蓋側に延びている。一方、先端部３６，３８は、文字板１６の開口１８（表示せず），１８に遊嵌され、その端面４３，４４がダイヤルリング１７の背面近傍まで延びている。
【００３３】
なお、アンテナユニット６０では、アンテナ本体２４のアンテナコア２５の中央部の該周にアンテナコイル２６が巻かれ且つアンテナ本体２４がアンテナ枠６１の本体６３の凹部６２に収容されているので、アンテナ本体２４のアンテナ２５の外周面２５Ｓは、胴１０の内周面１０Ｓに対して長さＬ１だけ離間している。この長さＬ１は、数ｍｍ程度（例えば、１〜２ｍｍ程度）である。
【００３４】
また、アンテナユニット６０では、アンテナコア２５が典型的には同一形状の多数の軟磁性薄板片を積層してなることから、アンテナ本体２４のアンテナコア２５のコア端部２８，２９は、基端部３３，３４の先端面（薄板片の端縁の包絡面）５１，５２において、径方向に対して、角度θだけ傾斜している。この角度θは、該先端面５１，５２が、胴部１０の内周面１０Ｓに対して、長さＬ２以上の間隔になるように、調整されている。この長さＬ２は、典型的には、例えば、数ｍｍ程度であって少なくとも２ｍｍ以上である。すなわち、この電波時計１では、アンテナ本体２４のアンテナコア２５の端面５１，５２は周方向に向いておらずある程度ケース１０の内周面１０Ｓに向いているけれども、その間の間隔Ｌ２が十分に大きいので、ケース１０による標準電波の受信の妨害を最低限に抑え得る。なお、電波時計１では、アンテナコア２５の外周面２５Ｓとケース１０の内周面１０Ｓとの間に大きさＬ１の間隙があることから、この大きさＬ２の間隔は実現し易い。
【００３５】
室２１内には、また、回路ブロック７０が配置されている。該回路ブロック７０は、回路基板７１と、該回路基板７１に実装された時計駆動用回路部品７２及び電波修正用回路部品７３とを有する。時計駆動用回路部品７２は、水晶缶７４やマイクロプロセッサ７５や複合集積回路７６のうちの時計用集積回路部分を含む。一方、電波修正用回路部品７３は、アンテナ本体２４を標準電波に同調させるための同調素子７７や複合集積回路７６のうちの電波修正用回路部分を含む。
【００３６】
室２１内には、更に、電池８０が配設され、マイナス端子８１及びスイッチバネの形態のプラス端子８２が電池８０と回路ブロック７０等を電気的につないでいる。
【００３７】
９１は巻真、９２，９３は押しボタンスイッチである。
【００３８】
以上の如く構成された電波時計１では、アンテナ本体２４のアンテナコア２５のコア端部２８，２９のうち先端部３６，３８が、文字板１６の開口１８，１８に遊嵌され、コア端部２８，２９の端面４３，４４がダイヤルリング１７の背面近傍まで延び実際上ケース１０の開口１１に臨んでおり、電磁的には開口１１の底部に露出しているに等しいので、電波時計１のアンテナ本体２４では文字板１６側を伝播する標準電波の磁場成分を、ケース１０の影響を最低限に抑えた状態で、アンテナ本体２４により比較的高感度に検出し得る。
【００３９】
また、この電波時計１では、アンテナ本体２４のアンテナコア２５のコア端部２８，２９のうち先端部３７，３９の端面４１，４２が、裏蓋構造体１４の裏蓋ガラス２０の内面に近接する位置まで延び実際上裏蓋構造体１４のリング状部１９の開口１９Ｓに臨んでおり、電磁的には開口１９Ｓの底部に露出しているに等しいので、電波時計１のアンテナ本体２４では裏蓋構造体１４側を伝播する標準電波の磁場成分を、ケース１０及び裏蓋リング状部分１９の影響を最低限に抑えた状態で、アンテナ本体２４により比較的高感度に検出し得る。なお、この電波時計１では、裏蓋構造体１４の中央部は非磁性で且つ非導電性のガラス２０からなり電磁的には実際上開口しているに等しいから、該裏蓋ガラス２０に対面するアンテナコア２５の端面４１，４２で確実に電波を拾い得る。
【００４０】
更に、この電波時計１では、アンテナ本体２４のアンテナコア２５のコア端部２８，２９が時計１の厚さ方向Ｚに曲がっているので、厚さ方向Ｚに曲がっていない従来のアンテナコアを備えた従来のアンテナ本体と比較して、コア端部２８，２９の周方向端面５１，５２が金属製の時計ケースないし胴１０に比較的近接していても金属製の該胴１０によって標準電波の受信が妨げられる虞れが低減され得る。
【００４１】
しかも、この電波時計１では、コア端部２８，２９の周方向端面５１，５２が金属製の胴１０から長さＬ２以上離れて位置するので、金属製の該胴１０によって標準電波の受信が妨げられる虞れが一層低減され得る。
【００４２】
なお、電波時計のアンテナ本体のコア端部が厚さ方向の両方に突出する代わりに、一方のみに突出していてもよい。
【００４３】
すなわち、例えば、図４並びに図５の（ａ）及び（ｂ）に示したように、アンテナコア２５Ａが、文字板１６Ａに向かってＺ方向に突出する突出端部３６，３８を欠き、裏蓋構造体１４の裏蓋ガラス２０に向かってＺ方向突出する突出端部３５，３７のみを備えていてもよい。この場合、アンテナコア２５Ａの本体部２７をその長手方向に通る磁束がアンテナコア２５Ａの突出端部３５，３７の基端部（曲がり部）のところで漏れるのを最低限に抑えるように、隅部が想像線４６，４７で示したように丸められていてもよい。
【００４４】
図４並びに図５の（ａ）及び（ｂ）に示した電子時計１Ａにおいて、図１〜図３に示した電子時計１とは異なる部分や部位や要素については添字Ａを最後に付してある。電子時計１Ａでは、アンテナコア２５Ａが、アンテナコア２５とは異なり突出端部３６，３８を欠くことから、文字板１６Ａが開口１８を欠く点を除いて、電子時計１と同様に構成されている。
【００４５】
この電子時計１Ａにおいても，電子時計１と同様に、標準電波の検出感度が高められることは明らかであるので、詳細な説明は省く。
【００４６】
なお、おおまかな試験を行った結果、このアンテナユニット６０Ａを備えた電波時計１Ａでは、先端部３５，３７の端面４１，４２に対面する部位が裏蓋構造体１４の金属製の外周側リング状部１９に対面する比較例の場合（裏蓋ガラス２０の径が小さい場合であって、先端部３５，３７を備えるメリットを欠く考えられる場合）と比較して、標準電波の受信感度が３ｄＢ程度向上することが確認された。なお、このテスト結果から、図１〜図３に示したアンテナユニット６０を備えた電波時計１では、少なくともこのレベル又はそれ以上の受信感度の改善が期待されることになる。
【００４７】
また、例えば、図６並びに図７の（ａ）及び（ｂ）に示したように、アンテナコア２５Ｂが、裏蓋構造体１４の裏蓋ガラス２０に向かってＺ方向突出する突出端部３５，３７を欠き、文字板１６に向かってＺ方向に突出する突出端部３６，３８のみを備えていてもよい。この場合も、アンテナコア２５Ｂの本体部２７をその長手方向に通る磁束がアンテナコア２５Ｂの突出端部３６，３７の基端部（曲がり部）のところで漏れるのを最低限に抑えるように、隅部が想像線４８，４９で示したように丸められていてもよい。
【００４８】
図６並びに図７の（ａ）及び（ｂ）に示した電子時計１Ｂにおいて、図１〜図３に示した電子時計１とは異なる部分や部位や要素については添字Ｂを最後に付してある。電子時計１Ｂでは、アンテナコア２５Ｂが、アンテナコア２５とは異なり突出端部３５，３７を欠く点を除いて、電子時計１と同様に構成されている。
【００４９】
この電子時計１Ｂにおいても，電子時計１と同様に、標準電波の検出感度が高められることは明らかであるので、詳細な説明は省く。
【００５０】
なお、例えば、アンテナコアが、図４並びに図５の（ａ）及び（ｂ）に示したように文字板１６Ａに向かってＺ方向に突出する突出端部３６，３８を欠き裏蓋構造体１４の裏蓋ガラス２０に向かってＺ方向突出する突出端部３５，３７のみを備えているアンテナコア２５Ａや、図６並びに図７の（ａ）及び（ｂ）に示したように裏蓋構造体１４の裏蓋ガラス２０に向かってＺ方向突出する突出端部３５，３７を欠き文字板１６に向かってＺ方向に突出する突出端部３６，３８のみを備えているアンテナコア２５Ｂである場合、アンテナコア２５Ａや２５Ｂを構成する多数の軟磁性薄板が、両端にＺ方向突起部を備えたＵ字状である代わりに、一端側のみにＺ方向突起部を備えたＬ字状であってもよい。
【００５１】
すなわち、図８の（ａ）に示したように、Ｌ字状軟磁性薄板５３を複数枚重ねてなる素体５４，５４を二つ準備し、Ｚ方向突起部に対応するＬの脚部５５，５５が反対端部に位置するように、二つの素体５４，５４を重ねて、アンテナコア２５Ｃを形成してもよい。
【００５２】
このアンテナコア２５Ｃを備えたアンテナ本体２４Ｃは、図８の（ｂ）に示したように、厚さ方向（半径方向）の外側及び内側に位置する脚部５５，５５が、アンテナコア２５ＡのＺ方向突起部３５，３７やアンテナコア２５ＢのＺ方向突起部３６，３８と同様に機能し得、このアンテナコア２５Ｃを備えた電波時計では、標準電波を高感度に検出し得る。
【００５３】
軟磁性薄板５３は、Ｌ字状である代わりに、Ｔ字状であってもよい。その場合、アンテナコアの両端に、図１〜図３に示したのと同様に、時計ガラス及び裏蓋の両方に向かって延びる突出端部が形成され得る。
【００５４】
なお、時計の時計ガラス側では文字板が時計ガラスの背後に位置するので、アンテナユニットは、時計ケースの厚さ方向に見て時計ガラスにつながった端部よりも相当内側に位置するけれども、時計の裏蓋側では該裏蓋が時計ケースの端部に位置するので、アンテナユニットは、時計ケースの厚さ方向に見て該ケースの端部近傍に位置し得る。従って、時計の厚さ方向に見た場合、裏蓋側の方が、金属製時計ケースによる受信妨害の程度は低い。この観点では、裏蓋の全体又は本体部分がガラスのような非磁性で非導電性材料からなる場合、該部分の範囲内において且つ時計の厚さ方向に見て裏蓋に近接した位置にアンテナ本体が配置されるようにすることにより、アンテナ本体のコア端部に厚さ方向に延びる先端部（換言すれば厚さ方向に厚い先端部）がなくても、アンテナの受信感度を高めることが可能になる。
【図面の簡単な説明】
【００５５】
【図１】本発明の好ましい一実施例の電波時計を裏蓋側から見た平面説明図（但し、裏蓋等を省いた状態で時計ケース（胴）の内周面より内側の部分を示したもの）。
【図２】図２の電波時計の断面説明図。
【図３】図1の電波時計のアンテナ部分を示したもので、（ａ）はアンテナ本体の側面説明図、（ｂ）はアンテナユニット及び回路ブロックの平面説明図。
【図４】本発明の変形例の電波時計についての図２と同様な断面説明図。
【図５】図４の電波時計についての図３と同様な説明図で、（ａ）はアンテナ本体の側面説明図、（ｂ）はアンテナユニット及び回路ブロックの平面説明図。
【図６】本発明の別の変形例の電波時計についての図２と同様な断面説明図。
【図７】図６の電波時計についての図３と同様な説明図で、（ａ）はアンテナ本体の側面説明図、（ｂ）はアンテナユニット及び回路ブロックの平面説明図。
【図８】本発明の更に別の変形例の電波時計のアンテナ本体を示したもので、（ａ）はアンテナコアの組立を説明するための斜視説明図、（ｂ）は（ａ）のアンテナコアを有するアンテナ本体の斜視説明図。
【符号の説明】
【００５６】
１，１Ａ，１Ｂ  電波時計（電波修正時計）
１０  時計ケース（胴）
１０Ｓ  内周面
１２  時計ガラス
１４  裏蓋構造体
１４Ｓ  裏蓋内面
１６，１６Ａ  文字板
１７  ダイヤルリング
１９  外周側リング状部
２０  裏蓋ガラス（裏蓋本体）
２２  時計輪列
２３  運針用モータ
２４，２４Ａ，２４Ｂ，２４Ｃ  アンテナ本体
２５，２５Ａ，２５Ｂ，２５Ｃ  アンテナコア
２５Ｓ  外周面
２６  アンテナコイル
２７  コア本体部
２８，２９  コア端部
３１，３２  コア本体部の端部
３３，３４  コア端部の基端部
３５，３６，３７，３８  コア端部の先端部
４１，４２  先端部の端面
５１，５２  基端部の先端面（薄板片の端縁の包絡面）
６０  アンテナユニット
６１  アンテナ枠
６２  凹部
７０  回路ブロック
７１  回路基板
７２  時計駆動用回路部品
７３  電波修正用回路部品
７６  複合集積回路
８０  電池
８１，８２  端子
９１  巻真
９２，９３  押しボタンスイッチ
Ｌ１，Ｌ２  距離
θ  角度
【図１】
2007285811.tif 000003
【図２】
2007285811.tif 000004
【図３】
2007285811.tif 000005
【図４】
2007285811.tif 000006
【図５】
2007285811.tif 000007
【図６】
2007285811.tif 000008
【図７】
2007285811.tif 000009
【図８】
2007285811.tif 000010